(57)【要約】【課題】映像表示システムにおいて、表示装置に表示させる映像の設定操作をする際に、タッチパネル式の操作端末を用いて、より感覚的な操作で表示映像を設定し易い映像表示インターフェースを提供することを目的とする。【解決手段】映像表示システムの操作端末にタッチパネル式の操作端末を用いて、タッチを伴うジェスチャ操作によって表示装置に表示する映像の設定操作をすることで、より感覚的に操作し易い映像表示インターフェースを実現できる。【選択図】図１
2015065508.tif 000002
【特許請求の範囲】
【請求項１】
映像を取得するカメラと、
映像を表示する表示装置と、
表示面に操作画面を表示する表示手段と、前記表示手段の上に配置されタッチを伴う操作を検出するタッチパネルと、検出した操作を判定して制御する制御手段と、を備える操作端末と、がそれぞれネットワークで接続され、
前記操作端末は、取得した前記映像に関する情報を表示する映像情報表示領域を表示し、前記映像情報表示領域の映像に関する情報へのタッチを伴う所定の操作による選択と予め定められた映像設定位置へ移動させた操作を検出すると、前記映像に関する情報に対応する映像を前記表示装置へ表示させるための指示を出力し、
前記表示装置は、前記操作端末により表示指示された前記映像を表示することを特徴とする映像表示システム。
【請求項２】
前記表示手段に設定画面を表示し、
前記操作端末と通信可能な前記表示装置を検出し、当該検出した表示装置と前記映像設定位置とを対応付けて設定することを特徴とする請求項１に記載の映像表示システム。
【請求項３】
前記表示装置に複数の映像を分割表示する場合には、表示させる分の映像の前記映像に関する情報をタッチを伴う所定の操作により映像設定位置へ移動させた操作を検出すると、前記映像に関する情報に対応する前記表示させる分の映像を前記表示装置へ表示させるための指示を出力することを特徴とする請求項１乃至２に記載の映像表示システム。
【請求項４】
前記設定画面において、前記映像設定位置を移動可能な方向指定アイコンで表示し、当該方向指定アイコンの位置および向きに応じて、前記操作画面における前記映像情報表示領域の映像に関する情報のタッチを伴う所定の操作による当該映像設定位置への移動を検出することを特徴とする請求項２に記載の映像表示システム。
【請求項５】
前記設定画面において、前記検出した表示装置に対応する移動可能なアイコンを表示し、当該表示装置アイコンを前記映像設定位置とし、当該表示装置アイコンの位置に応じて、前記操作画面における前記映像情報表示領域の映像に関する情報のタッチを伴う所定の操作による当該映像設定位置への移動を検出することを特徴とする請求項２に記載の映像表示システム。
【請求項６】
前記操作画面において、前記映像情報表示領域には、前記映像に関する情報として、前記映像に対応するサムネイル映像または表示される地図上のカメラアイコンを表示することを特徴とする請求項１乃至請求項５に記載の映像表示システム。
【請求項７】
表示面に操作画面を表示する表示手段と、前記表示手段の上に配置されタッチを伴う操作を検出するタッチパネルと、検出した操作を判定して制御する制御手段と、を備え、
前記表示手段に取得した映像に関する情報を表示する映像情報表示領域を表示し、前記タッチパネルで前記映像情報表示領域の映像に関する情報へのタッチを伴う所定の操作による選択と予め定められた映像設定位置へ移動させた操作を検出すると、前記制御手段は前記映像に関する情報に対応する映像を外部の表示装置へ表示させるための指示を出力することを特徴とする操作端末。
【請求項８】
前記表示手段に設定画面を表示し、
通信可能な前記外部の表示装置を検出し、当該検出した外部の表示装置と前記映像設定位置とを対応付けて設定することを特徴とする請求項７に記載の操作端末。
【請求項９】
前記外部の表示装置に複数の映像を分割表示する場合には、前記タッチパネルで表示させる分の映像の前記映像に関する情報をタッチを伴う所定の操作により映像設定位置へ移動させた操作を検出すると、前記制御装置は前記映像に関する情報に対応する前記表示させる分の映像を前記表示装置へ表示させるための指示を出力することを特徴とする請求項７乃至８に記載の操作端末。
【請求項１０】
前記設定画面において、前記映像設定位置を移動可能な方向指定アイコンで表示し、当該方向指定アイコンの位置および向きに応じて、前記操作画面における前記映像情報表示領域の映像に関する情報のタッチを伴う所定の操作による当該映像設定位置への移動を検出することを特徴とする請求項７に記載の操作端末。
【請求項１１】
前記設定画面において、前記検出した表示装置に対応する移動可能なアイコンを表示し、当該表示装置アイコンを前記映像設定位置とし、当該表示装置アイコンの位置に応じて、前記操作画面における前記映像情報表示領域の映像に関する情報のタッチを伴う所定の操作による当該映像設定位置への移動を検出することを特徴とする請求項７に記載の操作端末。
【請求項１２】
前記操作画面において、前記映像情報表示領域には、前記映像に関する情報として、前記映像に対応するサムネイル映像または表示される地図上のカメラアイコンを表示することを特徴とする請求項７乃至請求項１１に記載の操作端末。
【請求項１３】
表示面に操作画面を表示する表示手段と、前記表示手段の上に配置されタッチを伴う操作を検出するタッチパネルと、検出した操作を判定して制御する制御手段と、を備える操作端末において、
前記操作端末は、取得した映像に関する情報を表示する映像情報表示領域を表示し、前記映像情報表示領域の映像に関する情報へのタッチを伴う所定の操作による選択と予め定められた映像設定位置へ移動させた操作を検出すると、前記映像に関する情報に対応する映像を外部の表示装置へ表示させるための指示を出力することを特徴とする操作方法。
【請求項１４】
前記表示手段に設定画面を表示し、
通信可能な前記外部の表示装置を検出し、当該検出した外部の表示装置と前記映像設定位置とを対応付けて設定することを特徴とする請求項１３に記載の操作方法。
【請求項１５】
前記表示装置に複数の映像を分割表示する場合には、表示させる分の映像の前記映像に関する情報をタッチを伴う所定の操作により映像設定位置へ移動させた操作を検出すると、前記映像に関する情報に対応する前記表示させる分の映像を前記表示装置へ表示させるための指示を出力することを特徴とする請求項１３乃至１４に記載の操作方法。
【請求項１６】
前記設定画面において、前記映像設定位置を移動可能な方向指定アイコンで表示し、当該方向指定アイコンの位置および向きに応じて、前記操作画面における前記映像情報表示領域の映像に関する情報のタッチを伴う所定の操作による当該映像設定位置への移動を検出することを特徴とする請求項１４に記載の操作方法。
【請求項１７】
前記設定画面において、前記検出した表示装置に対応する移動可能なアイコンを表示し、当該表示装置アイコンを前記映像設定位置とし、当該表示装置アイコンの位置に応じて、前記操作画面における前記映像情報表示領域の映像に関する情報のタッチを伴う所定の操作による当該映像設定位置への移動を検出することを特徴とする請求項１４に記載の操作方法。
【請求項１８】
前記操作画面において、前記映像情報表示領域には、前記映像に関する情報として、前記映像に対応するサムネイル映像または表示される地図上のカメラアイコンを表示することを特徴とする請求項１３乃至請求項１７に記載の操作端末。
【請求項１９】
表示面に操作画面を表示する表示手段と、前記表示手段の上に配置されタッチを伴う操作を検出するタッチパネルと、を備えるコンピュータに、
前記表示手段に取得した映像に関する情報を表示する映像情報表示領域を表示させる表示処理と、前記タッチパネルに前記映像情報表示領域の映像に関する情報へのタッチを伴う所定の操作による選択と予め定められた映像設定位置へ移動させた操作を検出させる検出処理と、前記映像に関する情報に対応する映像を外部の表示装置へ表示させるための指示を出力する指示出力処理と、を実行させることを特徴とするプログラム。
【請求項２０】
前記表示手段に設定画面を表示させる表示処理と、通信可能な前記外部の表示装置を検出する表示装置検出処理と、当該検出した外部の表示装置と前記映像設定位置とを対応付けて設定する設定処理と、を前記コンピュータに実行させることを特徴とする請求項１９に記載のプログラム。
【請求項２１】
前記タッチパネルに、表示させる分の映像の前記映像に関する情報をタッチを伴う所定の操作により映像設定位置へ移動させた操作を検出させる検出処理と、前記映像に関する情報に対応する前記表示させる分の複数の映像を前記表示装置へ分割表示させるための指示を出力する指示出力処理と、を前記コンピュータに実行させることを特徴とする請求項１９乃至２０に記載のプログラム。
【請求項２２】
前記設定画面において、前記映像設定位置を移動可能な方向指定アイコンで表示するアイコン表示処理と、当該方向指定アイコンの位置および向きに応じて、前記操作画面における前記映像情報表示領域の映像に関する情報のタッチを伴う所定の操作による当該映像設定位置への移動を検出する検出処理と、を前記コンピュータに実行させることを特徴とする請求項２０に記載のプログラム。
【請求項２３】
前記設定画面において、前記検出した表示装置に対応する移動可能なアイコンを表示するアイコン表示処理と、当該表示装置アイコンを前記映像設定位置とし、当該表示装置アイコンの位置に応じて、前記操作画面における前記映像情報表示領域の映像に関する情報のタッチを伴う所定の操作による当該映像設定位置への移動を検出する検出処理と、を前記コンピュータに実行させることを特徴とする請求項２０に記載のプログラム。
【請求項２４】
前記操作画面において、前記映像情報表示領域には、前記映像に関する情報として、前記映像に対応するサムネイル映像または表示される地図上のカメラアイコンを表示する表示処理を、前記コンピュータに実行させることを特徴とする請求項１９乃至請求項２３に記載のプログラム。 
【発明の詳細な説明】
【技術分野】
【０００１】
本発明は、取得した映像を表示する映像表示システムにおける、操作端末を用いる操作に関する。
【背景技術】
【０００２】
例えば映像表示システムは、ホテルやビル、コンビニエンスストア、金融機関、ダム、道路等といった様々な公共施設や民間施設等において、犯罪や事故の防止、事件や事故の事後解析等の目的で導入されている。一般的な映像表示システムでは、カメラで監視対象エリアを撮像し、撮像した映像をネットワークを介して管理事務所や警備室等の監視センタや記録装置に伝送し、伝送された映像により監視者が監視対象を監視して目的や必要に応じて注意や警告をしたり、伝送された映像を記録装置に記録したりしている。
【０００３】
この様な従来の監視システムの場合、監視者がモニタとマウス等のポインティングデバイスを備えるパソコンなどのコンピュータを用いて、ＧＵＩ（Graphical User Interface）画面からカメラのパン・チルト・ズームを操作したり、映像を閲覧したりすることで、監視対象領域を監視している。
【０００４】
なお、従来技術として、監視端末にＷｅｂブラウザ形式で表示したＧＵＩ画面からカメラを制御したり、撮像した映像を表示したりする映像表示システムが開示されている（特許文献１を参照）。
【０００５】
一方、近年、スマートフォンやタブレットと呼ばれるタッチパネルを用いた可搬型の通信端末が普及しており、これらを可搬型の通信端末とは別の大画面等の表示装置への映像表示に操作端末として用いることが望まれている。
【先行技術文献】
【特許文献】
【０００６】
【特許文献１】特開２０１１−０５５４２３号公報
【発明の概要】
【発明が解決しようとする課題】
【０００７】
本発明は、この様な要望を鑑みて為されたものであり、映像表示システムにおいて、表示装置に表示させる映像の設定操作をする際に、タッチパネル式の操作端末を用いて、より感覚的な操作で表示映像を設定し易い映像表示インターフェースを提供することを目的とする。
【課題を解決するための手段】
【０００８】
上記課題を解決するために、本発明の映像表示システム、操作端末、操作方法およびプログラムは、表示面に操作画面を表示する表示手段と、前記表示手段の上に配置されタッチを伴う操作を検出するタッチパネルと、検出した操作を判定して制御する制御手段と、を備える操作端末であって、前記表示手段に取得した映像に関する情報を表示する映像情報表示領域を表示し、前記タッチパネルで前記映像情報表示領域の映像に関する情報へのタッチを伴う所定の操作による選択と予め定められた映像設定位置へ移動させた操作を検出すると、前記制御手段は前記映像に関する情報に対応する映像を前記操作端末とは別の表示装置へ表示させるための指示を出力することを特徴とする。
これにより、操作端末におけるタッチを伴う操作により、操作画面上の所定の位置に映像に関する情報を移動させることで、感覚的に簡易的に所定の表示装置へ所望の映像を表示させることができる。
【０００９】
また、上記課題を解決するために、本発明の映像表示システム、操作端末、操作方法およびプログラムは、前記表示手段に設定画面を表示し、通信可能な前記操作端末とは別の表示装置を検出し、当該検出した外部の表示装置と前記映像設定位置とを対応付けて設定することを特徴とする。
これにより、所定の表示装置へ所望の映像を表示させるための設定を感覚的、簡易的な操作で実施することができきる。
【００１０】
また、上記課題を解決するために、本発明の映像表示システム、操作端末、操作方法およびプログラムは、前記外部の表示装置に複数の映像を分割表示する場合には、前記タッチパネルで表示させる分の映像の前記映像に関する情報をタッチを伴う所定の操作により映像設定位置へ移動させた操作を検出すると、前記制御装置は前記映像に関する情報に対応する前記表示させる分の映像を前記表示装置へ表示させるための指示を出力することを特徴とする。
これにより、表示装置に複数の映像を分割表示させる場合に、表示させたい分の映像の映像に関する情報を操作画面上の所定の位置に移動させることで、感覚的に簡易的に所定の表示装置へ所望の複数の映像を分割表示させることができる。
【００１１】
また、上記課題を解決するために、本発明の映像表示システム、操作端末、操作方法およびプログラムは、前記設定画面において、前記映像設定位置を移動可能な矢印アイコンで表示し、当該矢印アイコンの位置および向きに応じて、前記操作画面における前記映像情報表示領域の映像に関する情報のタッチを伴う所定の操作による当該映像設定位置への移動を検出することを特徴とする。
これにより、所定の表示装置へ所望の映像を表示させるための設定を感覚的、簡易的な操作で実施することができきる。
【００１２】
また、上記課題を解決するために、本発明の映像表示システム、操作端末、操作方法およびプログラムは、前記設定画面において、前記検出した表示装置を移動可能なアイコンを表示し、当該表示装置アイコンを前記映像設定位置とし、当該表示装置アイコンの位置に応じて、前記操作画面における前記映像情報表示領域の映像に関する情報のタッチを伴う所定の操作による当該映像設定位置への移動を検出することを特徴とする。
これにより、所定の表示装置へ所望の映像を表示させるための設定を感覚的、簡易的な操作で実施することができきる。
【００１３】
また、上記課題を解決するために、本発明の映像表示システム、操作端末、操作方法およびプログラムは、前記操作画面において、前記映像情報表示領域には、前記映像に関する情報として、前記映像に対応するサムネイル映像または表示される地図上のカメラアイコンを表示することを特徴とする。
これにより、サムネイル映像や地図上のカメラアイコンを用いることで、映像やカメラ情報を確認しながら表示装置に表示する映像を決定できるため、より望む映像を容易に選択することができる。
【発明の効果】
【００１４】
本発明によれば、特にタッチパネル式の操作端末を用いて、タッチを伴うジェスチャ操作によって操作端末とは別の表示装置に表示する映像の設定操作をすることで、より感覚的に操作し易い映像表示インターフェースを実現できる。
【図面の簡単な説明】
【００１５】
【図１】本発明の映像表示システムの全体構成と操作端末の内部構成を示すブロック図である。
【図２】本発明の映像表示システムの条件設定画面の一例を示す図である。
【図３】本発明の映像表示システムの条件設定画面の他の一例を示す図である。
【図４】本発明の映像表示システムの横型閲覧画面兼操作画面で、表示装置への映像の割り当て操作一例を示す図である。
【図５】本発明の映像表示システムの横型閲覧画面兼操作画面で、表示装置への映像の割り当て操作一例を示す図である。
【図６】本発明の映像表示システムの横型閲覧画面兼操作画面で、表示装置への映像の割り当て操作一例を示す図である。
【図７】本発明の映像表示システムの縦型閲覧画面兼操作画面で、表示装置への映像の割り当て操作一例を示す図である。
【発明を実施するための形態】
【００１６】
以下、図面を参照して本発明の実施形態について詳細に説明する。
図１は、本発明の映像表示システムの全体構成と操作端末の内部構成を示すブロック図である。
【００１７】
図１に示す映像表示システムは、監視領域を撮像するパン・チルト・ズーム機能搭載のカメラ１−１〜１−ｎ（特に区別しない場合はカメラ１と呼ぶ）、ＨＤＤ（Hard Disk Drive）やＳＳＤ（Solid State Drive）などの大容量の記録媒体を備える記録装置２、タッチパネル式の操作端末３、指定された映像を再生する表示装置４−１〜４−３から構成され、それぞれインターネット等のネットワークによって接続される。
なお、カメラ１はパン・チルト・ズーム機能搭載としたが固定型のカメラでもよく、複数でなくてもよい。また、記録装置２も説明を簡単にするために１つとしたが、複数あってもよい。また、表示装置４も３台としたが、何台であってもよい。
【００１８】
カメラ１は監視領域を撮像して映像を取得し、ネットワークを介して記録装置２へ出力し、記録装置２は入力された映像を記録媒体に記録する。操作端末３は操作者の操作や設定に従ってカメラ１や記録装置２へ制御信号を出力する。操作端末３から指定されたカメラ１へリアルタイムの映像を要求すると、カメラ１は操作端末３へ取得した映像を出力し、操作端末３は受信した映像を表示する。また、操作端末３から指定されたカメラ１へパン・チルト・ズームを制御するよう要求すると、カメラ１は要求の内容に従ってパン・チルト・ズームを制御する。また、操作端末３から日時やカメラ名等で指定した記録映像を記録装置２へ要求すると、記録装置２は指定された記録映像を操作端末３へ出力し、操作端末３は受信した記録映像を表示する。
【００１９】
また、カメラ１または記録装置２は映像を表示装置４へ出力し、表示装置４では映像の表示設定に従って映像を表示する。表示設定については、操作端末３において、操作者が操作することで表示装置４に表示する映像を設定する。操作画面については後述するが、どのディスプレイにどの映像を表示させるかについて、表示装置４に表示設定する。
ここでは、表示装置４には、カメラ１−１〜１−ｎからのリアルタイム映像を表示することが多いが、記録装置２に記録された映像をカメラ名ごとや日付ごと等で指定して表示させることも可能である。
【００２０】
また、図１に示す映像表示システムの操作端末３は、データを通信可能な形式に変換して送受信する通信部３０１、操作端末３の各部を制御するとともにジェスチャ情報の判定処理等を実行する制御部３０２、ＲＯＭ（Read Only Memory）やＲＡＭ（Random Access Memory）等でジェスチャ情報３０３Ａやプログラム３０３Ｂを記憶する記憶部３０３、操作者のジェスチャを認識するタッチセンサ３０４Ａと文字や映像等を表示する表示部３０４Ｂを備えるタッチパネル３０４、戻るボタンや電源ボタン等の入力部３０５から構成される。
【００２１】
タッチセンサ３０４Ａは表示部３０４Ｂの上に全面に渡って設けられ、タッチセンサ３０４Ａは、表面弾性波方式や静電容量方式などを用いて操作者のタッチを伴うジェスチャを認識し、表示部３０４Ｂは、制御部３０２によって描画される文字や映像等を表示する。
【００２２】
ジェスチャ情報３０３Ａはタッチセンサ３０４Ａによって認識された操作者のジェスチャの特徴に対応して記憶された操作コマンドに関する情報であり、プログラム３０３Ｂは例えばＯＳ（Operating System）、ジェスチャ情報３０４Ａを用いた判定処理プログラム、各種アプリケーションプログラム等である。
【００２３】
なお、ここでジェスチャとは、操作者のタッチパネル３０４へのタッチを伴う操作を意味し、タップ（タッチしてすぐに離す）、ドラッグ（タッチしたままスライドさせる）、ピンチイン（２点タッチし２点間を狭める様にスライドさせる）、ピンチアウト（２点タッチし２点間を離す様にスライドさせる）、スワイプ（タッチしてスライドして掃く様に離す）、ホールド（長押し）等といったものがある。なお、スワイプ動作に関して、サムネイル映像やアイコンをタッチしてスライドさせて掃く様に離した後は、動かした勢いに応じてサムネイル映像やアイコンが惰性でスライドさせた方向に直進していく。
【００２４】
ジェスチャ操作による端末の具体的な動作は次の通り。
操作者がタッチパネル３０４に対してジェスチャ操作すると、タッチセンサ３０４Ａによって操作者のジェスチャが認識され、制御部３０２はジェスチャ情報３０４を参照して操作コマンドを生成し、操作コマンドに基づいてプログラム３０３Ｂを実行する。そして、プログラム実行結果を描画し表示部３０４Ｂに表示する。
【００２５】
また、入力部３０５が操作されることによる動作も、記憶部３０３に記憶された情報を参照して操作コマンドを生成し、プログラム３０３Ｂを実行することで実現される。
【００２６】
上述した操作や自動実行プログラムにより通信が必要となった場合、通信部３０１は、制御部３０２からの制御信号等のデータを、３Ｇ回線やＷｉ−Ｆｉ等の方式を用いた無線ネットワークやＬＡＮ等の方式の有線ネットワークで通信可能な形式に変換して、カメラ１、記録装置２、および表示装置４へ向けてネットワークに出力する。
【００２７】
これにより、タッチパネル式の操作端末３を用いて映像監視することができる。
【００２８】
なお、ここで、カメラ１がメモリーカード等の大容量の記録媒体を備え、撮像した映像を自らに記録する場合には、記録装置２は必要なく、カメラ１は記録装置２の機能も含めて操作端末３と通信する。この場合、上述した記録装置２と操作端末３との通信内容は全てカメラ１と操作端末３との通信に置き換えることができ、カメラ１は操作端末３からの要求がカメラ制御機能に関するものか記録機能に関するものかを判別して動作する。従って、この映像表示システムは少なくともカメラ１と操作端末３のみでも成立し、物理的なシステム構成を簡素化することもできる。
【００２９】
次に、図２〜図７を用いて、操作端末３に表示される映像表示インターフェースの操作について説明する。
【００３０】
図２は、本発明の映像表示システムの操作画面において、横型の操作画面における映像配置の操作の様子を示す図である。図４は、本発明の映像表示システムの横型閲覧画面兼操作画面において、表示装置への映像の割り当て操作の一例を示す図で、単画面表示の場合の表示装置への映像割り当て操作を示す。図５は、本発明の映像表示システムの横型閲覧画面兼操作画面において、表示装置への映像の割り当て操作の一例を示す図で、分割画面表示の場合の表示装置への映像割り当て操作を示す。図６は、本発明の映像表示システムの横型閲覧画面兼操作画面において、表示装置への映像の割り当て操作の一例を示す図で、分割画面表示の場合の表示装置への別の映像割り当て操作を示す。図７は、図２における画面を縦型に表示し直した場合の一例を示す。なお、図２〜図７では、操作端末３と表示装置４−１〜４−３の物理的な位置関係を表している。
【００３１】
図２を用いて、図４以降で説明する表示装置４への映像の割り当て操作のために必要な設定の仕方について説明する。
【００３２】
図２において、５０１は操作端末３のタッチパネル３０４に表示される表示装置４−１〜４−３に表示する映像を割り当てる動作に関する設定をする設定領域である。設定領域５０１には、方向指定アイコンとしての矢印アイコンＹ１〜Ｙ３と表示装置アイコンＤ１〜Ｄ３が表示される。
【００３３】
矢印アイコンＹは、サムネイル映像等がドラッグやスワイプ操作によりタッチパネル３０４内のアイコン位置に矢印の方向に向かって移動された場合に、矢印アイコンＹに対応して設定された表示装置４に当該移動されたサムネイル映像等に対応する映像を表示させる機能を実現するために、設定領域５０１に表示されるアイコンである。この矢印アイコンＹは、本実施例においては、画面上方および画面左右上方に配置されているが、任意の位置に設定可能であり、入力部３０５からの操作やタッチを伴う操作により追加表示させることが可能である。
なお、この矢印アイコンＹは一例であり、位置および／または方向を表すものであれば矢印の形でなくともよい。
【００３４】
表示装置アイコンＤは、実際に設置されてシステムに接続されて通信可能な表示装置４が検出されてアイコンとして設定領域５０１に表示され、矢印アイコンＹにドラッグやスワイプ操作により対応付けて、どの矢印アイコンＹにサムネイル映像等がドラッグやスワイプ操作により移動された場合にどの表示装置４に映像を表示させるかを設定するために表示されるアイコンである。
【００３５】
まず、設定画面が開かれると、設定領域５０１がタッチパネル３０４に表示され、システムに接続されて通信可能な表示装置４−１〜４−３が検出されて、表示装置４−１〜４−３が表示装置アイコンＤ１〜Ｄ３として表示される。そして、入力部３０５による操作や、長押ししてポップアップメニューを表示させて選択する等の操作により、矢印アイコンＹを表示させる。矢印アイコンＹはドラッグ等の操作により移動可能で、矢印アイコンＹ１はタッチパネル３０４の左上に左上向きに配置され、矢印アイコンＹ２はタッチパネル３０４の上方に上向きに配置され、矢印アイコンＹ３はタッチパネル３０４の右上に右上向きに配置される。なお、矢印アイコンＹは上下左右どの位置にでもどの方向に向かっても設定できる。
【００３６】
次に、表示された表示装置アイコンＤ１をドラッグやスワイプ操作により矢印アイコンＹ１の位置へ移動させ、表示装置アイコンＤ１と矢印アイコンＹ１が重なった状態でタッチが離れていれば矢印アイコンＹ１に表示装置アイコンＤ１が対応付けられたことになる。これにより、後に表示装置４に映像を表示させる際にサムネイル映像等をドラッグやスワイプ操作により矢印アイコンＤ１の位置へ移動させると、対応付けられた表示装置アイコンＤ１に対応する表示装置４−１にサムネイル映像等に対応づいた映像が表示される。
【００３７】
同様に、表示された表示装置アイコンＤ２をドラッグやスワイプ操作により矢印アイコンＹ２の位置へ移動させ、表示装置アイコンＤ２と矢印アイコンＹ２が重なった状態でタッチが離れていれば矢印アイコンＹ２に表示装置アイコンＤ２が対応付けられたことになる。これにより、後に表示装置４に映像を表示させる際にサムネイル映像等をドラッグやスワイプ操作により矢印アイコンＤ２の位置へ移動させると、対応付けられた表示装置アイコンＤ２に対応する表示装置４−２にサムネイル映像等に対応づいた映像が表示される。
【００３８】
また、同様に、表示された表示装置アイコンＤ３をドラッグやスワイプ操作により矢印アイコンＹ３の位置へ移動させ、表示装置アイコンＤ３と矢印アイコンＹ３が重なった状態でタッチが離れていれば矢印アイコンＹ３に表示装置アイコンＤ３が対応付けられたことになる。これにより、後に表示装置４に映像を表示させる際にサムネイル映像等をドラッグやスワイプ操作により矢印アイコンＤ３の位置へ移動させると、対応付けられた表示装置アイコンＤ３に対応する表示装置４−３にサムネイル映像等に対応づいた映像が表示される。
【００３９】
以上の操作により、どの矢印アイコンＹに対してどの表示装置４を対応付けるかを設定することができる。なお、矢印アイコンＹの位置は表示装置４の物理的位置に合わせて設定するのがよく、本実施例の場合は、左上にセットした矢印アイコンＹ１は向かって左にある表示装置４−１と対応付ける様にし、中央上方にセットした矢印アイコンＹ２は向かって真ん中（正面）にある表示装置４−２と対応付ける様にし、右上にセットした矢印アイコンＹ３は向かって右にある表示装置４−３と対応付ける様にしている。こうすることで、より現実とリンクが取れた感覚的な操作が可能となる。また、図５、図６にて説明する、表示装置４に分割画面表示する場合は、別途設定しておいてもよいし、表示装置アイコンＤに対して長押しメニュー表示等をし、分割数を選択して設定できる様にしてもよいし、表示装置アイコン４をタップする回数に応じて分割数を決定してもよい。または、映像がセットされた数に応じて適切な分割数に分割して表示する様にしてもよい。
【００４０】
上述した図２における矢印アイコンＹを用いた設定の場合以外にも、表示装置に対応する表示装置アイコンＤのみを用いて設定することも可能であり、図３にその様子を示す。
【００４１】
図３において、５０１は操作端末３のタッチパネル３０４に表示される表示装置４−１〜４−３に表示する映像を割り当てる動作に関する設定をする設定領域である。設定領域５０１には、検出した表示装置４−１〜４−３に対応するアイコンとして表示装置アイコンＤ１〜Ｄ３および表示装置アイコンＤ１´〜Ｄ３´が表示される。本例では、表示装置アイコンＤ１〜Ｄ３を、後に説明する操作画面でサムネイル映像等がドラッグやスワイプ操作によりタッチパネル３０４内のアイコン位置に移動した場合に、対応して設定される表示装置４に当該移動されたサムネイル映像等に対応する映像を表示させるための位置へドラッグやスワイプ操作により移動させ、表示装置アイコンＤ１´〜Ｄ３´として設定する。このとき、表示装置アイコンＤ１〜Ｄ３を移動させると表示装置アイコンＤ１´〜Ｄ３´になってもよいし、長押しメニュー選択等の操作によって表示装置アイコンＤ１´〜Ｄ３´へ変化させてもよい。なお、表示装置アイコンは、どの表示装置に対応しているかがわかればよく、表示装置の形をしていてもよいし、他の形をしていてもよい。
【００４２】
次に、図４を用いて、表示装置４への映像の割り当て操作の表示例について説明する。
【００４３】
図４において、タッチパネル３０４に表示される操作画面は、表示装置４の画面に表示する映像を配置する映像表示領域５０２、接続されたカメラ１−１〜１−ｎの映像とカメラ名、設置場所及びフロア情報をサムネイル状に表示するサムネイル表示領域５０３、敷地内や建物のフロアの地図を実際にカメラが設置されている場所に対応して表示されるカメラアイコンと共に表示するマップ表示領域５０４、操作画面やモードの切り替えや他の各種設定画面に遷移するためのメニューボタン５０５から構成される。本実施形態ではマップ表示領域５０４には建物の単一のフロアが表示されているが、複数のフロアや建物を同時に表示する様にしてもよいし、建物ではなく屋外にカメラが設置されている場合には屋外の地図を表示する様にしてもよい。
【００４４】
映像表示領域５０２は、サムネイル表示領域５０３に表示されるサムネイル映像やマップ表示領域５０４に表示されるカメラアイコンやサムネイル映像等を選択することで、選択された映像が表示される。
【００４５】
サムネイル表示領域５０３は、実際に接続されているカメラ１−１〜１−ｎの映像がカメラ情報と共にカメラ名順等で複数表示され、上下にドラッグやスワイプすることにより、表示されている分より多くのカメラ映像がある場合には表示されていない映像がスライドして次々と表示される。
【００４６】
マップ表示領域５０４には、本実施例では建物の１Ｆの地図（間取り図）と、実際にカメラが配置されている場所に対応するカメラアイコンと、カメラアイコンのそばに対応する映像が小さく表示される。右下には「１Ｆ」の様に現在の選択している場所が表示され、右の三角をタップすることで監視対象の場所がプルダウン/アップでリスト表示され、所望の監視場所をタップすることでマップを切り替えることができる。またこのとき、マップ切り替えに伴って、サムネイル表示領域５０３にはその監視場所に設置されたカメラの映像が画面上部に来る様にジャンプさせたり、その監視場所に設置されたカメラの映像のみを表示させたりする様にしてもよい。
【００４７】
ここでは、上述した矢印アイコンＹまたは表示装置アイコンＤ１´〜Ｄ３´は、本操作画面上の中央上方および左右上方に対応して設定されている。
【００４８】
映像表示領域５０２に表示された映像１をタッチし、ドラッグまたはスワイプ操作により画面中央上方の矢印アイコンＹ２または表示装置アイコンＤ２´が設定された位置へ移動させて、タッチが離れていると、矢印アイコンＹ２または表示装置アイコンＤ２´に対応する表示装置４−２に当該映像１を表示する様に、操作端末３から命令が出る。すると、当該命令に応じて、映像１を撮影しているカメラ１−１は表示装置４−２へ映像を送信し、表示装置４−２は受信した映像１を表示する。
【００４９】
同様に、サムネイル表示領域５０３に表示されたサムネイル映像３をタッチし、ドラッグまたはスワイプ操作により画面の右上方の矢印アイコンＹ３または表示装置アイコンＤ３´が設定された位置へ移動させて、タッチが離れていると、矢印アイコンＹ３または表示装置アイコンＤ３´に対応する表示装置４−３に当該映像３を表示する様に、操作端末３から命令が出る。すると、当該命令に応じて、映像３を撮影しているカメラ１−３は表示装置４−３へ映像を送信し、表示装置４−３は受信した映像３を表示する。
【００５０】
また、同様に、マップ表示領域５０４に表示されたサムネイル映像２またはカメラ１−２に対応するカメラアイコンをタッチし、ドラッグまたはスワイプ操作により画面の右上方の矢印アイコンＹ１または表示装置アイコンＤ１´が設定された位置へ移動させて、タッチが離れていると、矢印アイコンＹ１または表示装置アイコンＤ１´に対応する表示装置４−１に当該映像２を表示する様に、操作端末３から命令が出る。すると、当該命令に応じて、映像２を撮影しているカメラ１−２は表示装置４−１へ映像を送信し、表示装置４−１は受信した映像２を表示する。
【００５１】
以上の操作により、操作端末３からの感覚的な操作により表示装置４へ映像を表示させることができる。
【００５２】
なお、サムネイル映像等をドラッグまたはスワイプ操作により矢印アイコンＹまたは表示装置アイコンＤ１´〜Ｄ３´の設定された位置へ移動させる場合には、画面の外に出ていく様なエフェクトで表示させ、また、表示装置４に映像を表示させる場合には、表示装置４の画面の上または下方向の外から入ってくる様なエフェクトで表示させるとより感覚的にわかりやすい。
【００５３】
次に、図５を用いて、分割表示設定された表示装置４への映像の割り当て操作の表示例について説明する。ここでは、４分割で指定された表示装置４−１に映像を割り当てる操作について説明する。
【００５４】
操作端末３の構成やタッチパネル３０４に表示する操作画面の構成や矢印アイコンＹまたは表示装置アイコンＤ１´〜Ｄ３´の設定については上述した図４における例と同じであるため省略する。
【００５５】
マップ表示領域５０４に表示されたサムネイル映像２またはカメラ１−２に対応するカメラアイコンをタッチし、ドラッグまたはスワイプ操作により画面の右上方の矢印アイコンＹ１または表示装置アイコンＤ１´が設定された位置へ移動させて、タッチが離れていると、矢印アイコンＹ１または表示装置アイコンＤ１´に対応する表示装置４−１に当該映像２を表示する様に、操作端末３から命令が出る。すると、当該命令に応じて、映像２を撮影しているカメラ１−２は表示装置４−１へ映像を送信し、表示装置４−１は受信した映像２を、４分割指定された左上の領域に表示する。
【００５６】
次に、サムネイル表示領域５０３に表示されたサムネイル映像３をタッチし、ドラッグまたはスワイプ操作により画面の左上方の矢印アイコンＹ１または表示装置アイコンＤ１´が設定された位置へ移動させて、タッチが離れていると、矢印アイコンＹ１または表示装置アイコンＤ１´に対応する表示装置４−１に当該映像３を表示する様に、操作端末３から命令が出る。すると、当該命令に応じて、映像３を撮影しているカメラ１−３は表示装置４−１へ映像を送信し、表示装置４−１は受信した映像３を、４分割指定された右上の領域に表示する。
【００５７】
次に、映像表示領域５０２に表示された映像１をタッチし、ドラッグまたはスワイプ操作により画面左上方の矢印アイコンＹ１または表示装置アイコンＤ１´が設定された位置へ移動させて、タッチが離れていると、矢印アイコンＹ１または表示装置アイコンＤ１´に対応する表示装置４−１に当該映像１を表示する様に、操作端末３から命令が出る。すると、当該命令に応じて、映像１を撮影しているカメラ１−１は表示装置４−２へ映像を送信し、表示装置４−２は受信した映像１を、４分割指定された左下の領域に表示する。
【００５８】
次に、サムネイル表示領域５０３に表示されたサムネイル映像４をタッチし、ドラッグまたはスワイプ操作により画面の左上方の矢印アイコンＹ１または表示装置アイコンＤ１´が設定された位置へ移動させて、タッチが離れていると、矢印アイコンＹ１または表示装置アイコンＤ１´に対応する表示装置４−１に当該映像４を表示する様に、操作端末３から命令が出る。すると、当該命令に応じて、映像４を撮影しているカメラ１−４は表示装置４−１へ映像を送信し、表示装置４−１は受信した映像４を、４分割指定された右下の領域に表示する。
【００５９】
これにより、表示装置４−１の４分割された領域に操作端末３で選択した映像を表示することができる。
【００６０】
なお、表示装置４−２に対しても同様の操作により映像を４分割表示でき、表示装置４−３には９分割表示することができる。
また、割り当てる順番としては、選択された映像から順番に、上段の左から右へ、上段が一杯になったらその下の段の左側へと割り当てていく。１つの表示装置４−１に連続して分割表示領域が埋まるまで映像を選択する必要はなく、表示装置４−２，４−３にばらばらに配置していくことも可能である。
【００６１】
以上の操作により、操作端末３からの感覚的な操作により表示装置４の分割表示領域へ映像を表示させることができる。
【００６２】
次に、図６を用いて、分割表示設定された表示装置４への映像の割り当て操作の他の表示例について説明する。ここでは、９分割で指定された表示装置４−３に映像を割り当てる操作について説明する。
【００６３】
操作端末３の構成や矢印アイコンＹまたは表示装置アイコンＤ１´〜Ｄ３´の設定については上述した図４における例と同じであるため省略する。図４，図５における表示例と異なるのは、タッチパネル３０４に表示する操作画面が、画面一杯にサムネイル表示領域５０３が表示され、複数の映像を選択しやすい点である。
【００６４】
サムネイル表示領域５０３に表示されたサムネイル映像１１をタッチし、ドラッグまたはスワイプ操作により画面の左上方の矢印アイコンＹ３または表示装置アイコンＤ３´が設定された位置へ移動させて、タッチが離れていると、矢印アイコンＹ３または表示装置アイコンＤ３´に対応する表示装置４−３に当該映像１１を表示する様に、操作端末３から命令が出る。すると、当該命令に応じて、映像１１を撮影しているカメラ１−１１は表示装置４−３へ映像を送信し、表示装置４−３は受信した映像１１を、９分割指定された分割領域の上段の一番左の分割領域に表示する。
【００６５】
次に、サムネイル表示領域５０３に表示されたサムネイル映像１２をタッチし、ドラッグまたはスワイプ操作により画面の左上方の矢印アイコンＹ３または表示装置アイコンＤ３´が設定された位置へ移動させて、タッチが離れていると、矢印アイコンＹ３または表示装置アイコンＤ３´に対応する表示装置４−３に当該映像１２を表示する様に、操作端末３から命令が出る。すると、当該命令に応じて、映像１２を撮影しているカメラ１−１２は表示装置４−３へ映像を送信し、表示装置４−３は受信した映像１を、９分割指定された分割領域の上段の左から２番の分割領域に表示する。
【００６６】
サムネイル映像１，２，８，１０についても同様に操作することで、表示装置４−３の９分割された領域に操作端末３で選択した映像を表示することができる。
【００６７】
なお、表示装置４−１，４−２に対しても同様の操作により映像を４分割表示することができる。
また、割り当てる順番としては、選択された映像から順番に、上段の左から右へ、上段が一杯になったらその下の段の左側へと割り当てていく。１つの表示装置４−１に連続して分割表示領域が埋まるまで映像を選択する必要はなく、表示装置４−２，４−３に都度ばらばらに配置していくことも可能である。
【００６８】
また、サムネイル表示領域５０３で複数のサムネイル画像を同時選択し、まとめてドラッグまたはスワイプ操作により送ることで、表示装置４の分割表示領域に一度に複数の映像を設定することが可能である。このとき表示する順番としては、選択された中からサムネイル映像として表示されている順番に従って配置されてもよいし、カメラＩＤの若い順で配置されてもよいし、選択された順番で配置される様にしてもよい。
【００６９】
以上の操作により、操作端末３からの感覚的な操作により表示装置４の分割表示領域へ映像を表示させることができる。
【００７０】
ここまで操作端末３を横にして使用した場合について説明してきたが、縦にして使用した場合についても同様に実現することができる。図７を用いて説明する。
【００７１】
図７は本発明の映像表示システムの縦型閲覧画面兼操作画面で、表示装置への映像の割り当て操作一例を示す図である。本例は、図４の場合を単純に縦型に置き換えたものである。
【００７２】
操作端末３の構成やタッチパネル３０４に表示する操作画面の構成や矢印アイコンＹまたは表示装置アイコンＤ１´〜Ｄ３´の設定や表示装置４への表示映像の割り当て方については上述した図４における例と同じであるため省略する。なお、タブレットやスマートフォンに通常、標準搭載される、傾きセンサによる画面自動回転する場合には、矢印アイコンＹまたは表示装置アイコンＤ１´〜Ｄ３´は横型画面の際に横状態で中央上方および左右上方に設定したが、画面回転して縦型になった際には、縦状態での中央上方および左右上方に設定が持ち越される。すなわち、画面の縦横が入れ替わっても、操作者から見た表示装置４の方向が一致する様に矢印アイコンまたは表示装置アイコンＤ１´〜Ｄ３´の配置設定がなされる。
【００７３】
これにより、画面の縦横が入れ替わっても変わらず感覚的に操作することが可能になる。なお、図５の分割の場合や図６のサムネイル表示領域５０３を画面一杯に表示する場合も同様に縦型画面に変更することが可能である。
【００７４】
以上に詳述した様に、本発明の実施例によれば、タッチパネル式の操作端末を用いて、タッチを伴うジェスチャ操作によって表示装置への表示映像を設定することで、より感覚的に操作し易い映像表示インターフェースを実現することができる。
【００７５】
なお、本発明は上記各実施形態に限定されるものではない。例えば、上記実施形態では、タッチパネルを用いたタブレット端末や携帯端末の場合で説明したが、これに限定されるものではなく、この他にも固定されたタッチパネル式の操作端末であってもよいし、マウスを用いて操作する端末であってもよい。また、操作端末自体に表示させる映像の配置を設定するものであってもよい。また、表示装置はテレビやＰＣ用のモニタであってもよく、この場合、操作端末から赤外線やインターネットを用いて制御信号が送信される。また、表示装置は表示機能を備える装置であればよく、表示専門のディスプレイの他にも、ＰＣ等であってもよい。また、上記実施形態では処理や機能等を表す図としてアイコンという文言を使ってきたが、図でなくとも例えば文字等であってもよい。
【００７６】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００７７】
１：カメラ、２：記録装置、３：操作端末、３０１：通信部、３０２：制御部、３０３：記憶部、３０３Ａ：ジェスチャ情報、３０３Ｂ：プログラム、３０４：タッチパネル、３０４Ａ：タッチセンサ、３０４Ｂ：表示部、３０５：入力部、４：表示装置、５０１：設定領域、５０２：映像表示領域、５０３：サムネイル表示領域、５０４：マップ表示領域、５０５：メニューボタン。
【図１】
2015065508.tif 000003
【図２】
2015065508.tif 000004
【図３】
2015065508.tif 000005
【図４】
2015065508.tif 000006
【図５】
2015065508.tif 000007
【図６】
2015065508.tif 000008
【図７】
2015065508.tif 000009